Podtech/llm-jp-corpus-v4-ja_patent huggingface dataset:
(57)【要約】【課題】部品点数の少ない構造にて布仕上げの枠を実現するとともに、布を貼り付ける場合の端部処理の作業性を向上した照明器具を提供する。【解決手段】照明器具本体１に取り付けられた樹脂製の枠２に布３を貼り付けた照明器具であって、前記枠２は下端が開口しており、枠２の上端には器具本体１への支持部が設けられており、枠２の下端を折り返し部として布３が貼られており、布３は内面が枠２の上端近傍まで、外面が枠２の上端を越えて枠２の内方へ向かって貼られている。枠２の内面に布３の端を入れるための溝４を設け、さらに枠２の外面に布３の端を入れるための溝５を設ける。【選択図】図１
2005135621.tif 000002
【特許請求の範囲】
【請求項１】
照明器具本体に取り付けられた樹脂製の枠に布を貼り付けた照明器具であって、前記枠は下端が開口しており、枠の上端には器具本体への支持部が設けられており、枠の下端を折り返し部として布が貼られており、布は内面が枠の上端近傍まで、外面が枠の上端を越えて枠の内方へ向かって貼られていることを特徴とする照明器具。
【請求項２】
請求項１において、枠の内面に布の端を入れるための溝を設けたことを特徴とする照明器具。
【請求項３】
請求項２において、さらに枠の外面に布の端を入れるための溝を設けたことを特徴とする照明器具。
【発明の詳細な説明】
【技術分野】
【０００１】
本発明は、布仕上げの枠を有する和風の照明器具に関するものである。
【背景技術】
【０００２】
従来より、和風の照明器具を実現するために、布仕上げの枠を器具本体に装着する技術が知られている。図３に従来の照明器具の要部断面構造を例示する。図中、２１は器具本体、２２は取付金具、２３は線材、２４は樹脂製シートに貼り付けた布である。従来の布仕上げの枠は、樹脂製シートに布を貼り付けたものをリング状の線材に巻き付けて構成され、線材には器具本体へ取り付けるための金具を装着する必要があった。このため、部品点数が多く、組み立て性が悪く、コストも高いものであった。
【０００３】
また、布を樹脂製シートに貼り付けて布製の枠を構成する場合に、布の端面の処理が難しく、見苦しくなる。特に、枠の内面の途中まで布を貼り付ける場合、内側の布の端面がほつれたり、接着剤がはみ出すなどして、見苦しいという問題があった。
【０００４】
なお、特許文献１には、グローブの一部にシートを貼り付けた構成が開示されているが、布の端部のほつれなどの課題は示唆していない。
【特許文献１】特開平１１−１９５３１１号公報
【発明の開示】
【発明が解決しようとする課題】
【０００５】
本発明は、部品点数の少ない構造にて布仕上げの枠を実現するとともに、布を貼り付ける場合の端部処理の作業性を向上した照明器具を提供することを課題とする。
【課題を解決するための手段】
【０００６】
本発明にあっては、上記の課題を解決するために、図１及び図２に示すように、照明器具本体１に取り付けられた樹脂製の枠２に布３を貼り付けた照明器具であって、前記枠２は下端が開口しており、枠２の上端には器具本体１への支持部が設けられており、枠２の下端を折り返し部として布３が貼られており、布３は内面が枠２の上端近傍まで、外面が枠２の上端を越えて枠２の内方へ向かって貼られていることを特徴とするものである。
【発明の効果】
【０００７】
請求項１の発明によれば、布仕上げの枠を構成する部品点数を削減でき、組み立てが簡単で、コストダウンが可能になるという効果がある。
請求項２、３の発明によれば、布のほつれ、接着剤のはみ出しを気にせずに布の端部の処理が可能となるので、組み立て作業性が向上するとともに、布の端部のほつれが目立たないので、器具外観の向上が可能となる。
なお、枠材料を透光性とすれば、点灯時にも布の風合いを出せる利点がある。
【発明を実施するための最良の形態】
【０００８】
本発明を実施するための最良の形態を図１及び図２に示す。図中、１は器具本体、２は樹脂製の枠、３は布、４は内面上端の溝、５は外面上端の溝、６は固定ねじ、７は光源、８はグローブである。樹脂製の枠２は一体成型品であり、内面上端の溝４と外面上端の溝５は枠２の全周にわたり形成されている。布３は枠２の内・外両面に接着剤で貼り付けられており、布３の端部は、枠２の溝４、５内で処理されている。布３の端部が枠２の溝４、５内に収まっていることにより、布３の端部にほつれがあっても溝４、５の内部のことであるので外観上は目立つことがなく、見栄えが損なわれることはない。また、布３の端部に接着剤がはみ出しても溝４、５の内部のことであるので、外観が見苦しくなることはない。
【０００９】
樹脂製の枠２の全体形状は例えばリング状であり、器具本体１の上方から被せて、器具本体１の上面により支持される。また、必要に応じて固定ねじ６のような固定手段により器具本体１に固定される。なお、器具本体１の上面中央には天井の引掛シーリングに接続するためのプラグ１１と天井面に当接する緩衝具１２が設けられている。光源７は例えば、丸型蛍光ランプであり、グローブ８は例えば乳白色の透光性カバーよりなる。
【００１０】
樹脂製の枠２の材質は限定するものではないが、好ましくは５％程度の光透過率を有する材料を選定すれば、点灯時にも布の風合いを浮き上がらせることができるので、特に好都合である。
【００１１】
樹脂製の枠２の形状は限定するものではないが、円形ないしは楕円形のほか、四角形など任意の形状とすることもできる。
【実施例１】
【００１２】
図１において、樹脂製の枠２の内面上端に鉛直下方に向けてリブを突設し、枠２とリブの間に溝４を形成する。この溝４のなかに布３の内面上端を挿入する。枠２の上面には溝５を設けない。つまり、枠２の外面の溝５は必須というわけではなく、枠２の上面側に布３の端面を貼り付けただけの構成であっても良い。
【００１３】
なお、布３に代えて和紙もしくは和紙柄のシートを用いても構わない。
【産業上の利用可能性】
【００１４】
本発明は布の風合いを有する和風の照明器具として商品展開できるものであり、一般家庭の和室用の照明器具や和風レストランの照明器具などに利用できる。
【図面の簡単な説明】
【００１５】
【図１】本発明の一実施形態の要部構成を示す断面図である。
【図２】本発明の一実施形態の全体構成を示す断面図である。
【図３】従来例の要部構成を示す断面図である。
【符号の説明】
【００１６】
１    照明器具本体
２    樹脂製の枠
３    布
【図１】
2005135621.tif 000003
【図２】
2005135621.tif 000004
【図３】
2005135621.tif 000005
(57)【要約】【課題】  技術は、壁面を照らす為の逆船形反射笠を備えるが、前側反射板部がなく、壁面の照度が不足する結果となっていた。本発明は、係る不足を解消する。【解決手段】  第一直管形蛍光ランプ４から出て反射笠２の前側反射板部の中央部付近へ当たる光が斜め下方へ転向して壁面へ向かい、かつ第二直管形記蛍光ランプ５から出て後側反射板部に当たる一部の光は前記通光用隙間および反射笠２の前側反射板部を経由して壁面へ向かう。このことにより、１灯用の壁面照明器具以上の効果（壁面照度の向上）を実現できる。【選択図】  図１
2005135884.tif 000002
【特許請求の範囲】
【請求項１】
高所に配置される器具本体を備え、前記器具本体の下面に配置される下向きに開放した逆舟形の反射笠を備え、前記反射笠の内側に並行にかつ水平に装着される第一直管形蛍光ランプ・第二直管形蛍光ランプを備え、
前記反射笠は傾斜の緩い前側反射板部と傾斜のきつい後側反射板部を具備し、前記第一直管形蛍光ランプは前記前側反射板部・後側反射板部間の頂部付近の下方の位置に配置され、前記第二直管形蛍光ランプは前記第一直管形蛍光ランプの下方であってかつ前記後側反射板部寄りの位置に配置され、前記頂部・前記第一直管形蛍光ランプ間に通光用隙間が形成され、
前記反射笠の形状およびそれに対する前記両蛍光ランプの配置を、前記第一直管形蛍光ランプから出て前記前側反射板部の中央部付近へ当たる光が斜め下方へ転向して壁面へ向かい、かつ前記第二直管形記蛍光ランプから出て前記後側反射板部に当たる一部の光は前記通光用隙間および前記前側反射板部を経由して前記壁面へ向かうように定め、前側反射板部の前側の傾斜を立ち上げ、前記第一直管形蛍光ランプから出て前側反射板部の前側傾斜部へ当たる光が、下方及び壁面と反対方向に向かうように定めたことを特徴とする壁面照明形蛍光灯器具。
【発明の詳細な説明】
【技術分野】
【０００１】本発明は壁面照明形蛍光灯器具に関する。
【背景技術】
【０００２】  従来の技術は、高所に配置される器具本体を備え、前記器具本体の中心面から片側下面に配置される下向きに開放した逆船形の反射笠を備え前記反射笠の内側に水平に装着される第一直管形蛍光ランプを備え、前記反射笠は前側反射板部が無く、傾斜のきつい後側反射板部のみを備え、器具本体中心面に対し、前記逆船形反射笠と反対側に片逆富士形の反射板を備え、前記反射板の内側に水平にかつ第一直管形蛍光ランプと並行に装着される第二直管形蛍光ランプを備え、第二直管形蛍光ランプから出た光は直下を照明し、かつ前記片逆富士形の反射板に当たり壁面と反対方向に向かう拡散光を供することの出来る壁面照明形蛍光灯器具であった。
前記第一直管形蛍光ランプから出て前記逆船形の反射笠の後側反射板部に当たる光は斜め下方へ転向して壁面へ向かうが前側反射板部がなく、壁面の照度が不足する結果となっていた。
【発明の開示】
【発明が解決しようとする課題】
【０００３】  前記技術は、壁面を照らす為の逆船形反射笠を備えるが、前側反射板部がなく、壁面の照度が不足する結果となっていた。本発明の目的は、前記した問題を解決した器具を提供することにある。
【課題を解決するための手段】
【０００４】  上記目的を達成するために、器具本体の下面に配置される下向きに開放した逆舟形の反射笠を備え、前記反射笠の内側に並行にかつ水平に装着される第一直管形蛍光ランプ・第二直管形蛍光ランプを備え、前記反射笠は傾斜の緩い前側反射板部と傾斜のきつい後側反射板部を具備し、前記第一直管形蛍光ランプは前記前側反射板部・後側反射板部間の頂部付近の下方の位置に配置され、前記第二直管形蛍光ランプは前記第一直管形蛍光ランプの下方であってかつ前記後側反射板部寄りの位置に配置され、前記頂部・前記第一直管形蛍光ランプ間に通光用隙間が形成され、前記反射笠の形状およびそれに対する前記両蛍光ランプの配置を、前記第一直管形蛍光ランプから出て前記前側反射板部の中央部付近へ当たる光が斜め下方へ転向して壁面へ向かい、かつ前記第二直管形記蛍光ランプから出て前記後側反射板部に当たる一部の光は前記通光用隙間および前記前側反射板部を経由して前記壁面へ向かうように定めることにより、１灯用の壁面照明器具以上の効果（壁面照度の向上）を実現した。
【発明の効果】
【０００５】  本発明によれば、１灯用の壁面照明器具以上の効果（壁面照度の向上）を実現できる。
【発明を実施するための最良の形態】
【０００６】  本発明の実施形態を図１及び図２により説明する。本器具は、器具本体１、反射笠２、（電子）安定器３、第一直管形蛍光ランプ４、第二直管形蛍光ランプ５、ランプソケット６で主に構成されている。
反射笠２は傾斜の緩い前側反射板部と傾斜のきつい後側反射板部を具備し、第一直管形蛍光ランプ４は前記前側反射板部・後側反射板部間の頂部付近の下方の位置に配置し、第二直管形蛍光ランプ５は第一直管形蛍光ランプ４の下方であってかつ前記後側反射板部寄りの位置に配置し、前記頂部・第一直管形蛍光ランプ４間に通光用隙間を形成する。
第一直管形蛍光ランプ４から出て反射笠２の前側反射板部の中央部付近へ当たる光が斜め下方へ転向して壁面へ向かい、かつ第二直管形記蛍光ランプ５から出て後側反射板部に当たる一部の光は前記通光用隙間および反射笠２の前側反射板部を経由して壁面へ向かう。このことにより、１灯用の壁面照明器具以上の効果（壁面照度の向上）を実現できる。
【図面の簡単な説明】
【０００７】
【図１】本発明器具とその配光の関係を示す説明図
【図２】本発明器具の外観を示す斜視図
【図３】従来器具とその配光の関係を示す説明図
【符号の説明】
１：器具本体、２：反射笠、３：（電子）安定器、４：第一直管形蛍光ランプ、５：第二直管形蛍光ランプ、６：ランプソケット、７：片逆富士反射板、８：天井面
【図１】
2005135884.tif 000003
【図２】
2005135884.tif 000004
【図３】
2005135884.tif 000005
(57)【要約】      （修正有）【課題】器具本体背面での連結が困難な天井構造においても、容易に照明器具の直線的連結を可能にする。【解決手段】器具本体１０・２０の背面を利用しての連結構造を改め、器具本体１０・２０の枠部を利用して連結する構造にする。そのため、照明器具本体１０・２０の枠部１４・２４を利用することにより、吊り下げ工法で施工された後でも照明器具１０・２０を容易に直線的な配置とすることができる。【選択図】図２
2005135885.tif 000002
【特許請求の範囲】
【請求項１】
高所に水平に配置される第一蛍光灯器具を備え、前記第一蛍光灯器具は反射笠部と該反射笠部を囲む器具枠部を具備し、前記第一蛍光灯器具は前記反射笠部の内側にその長手方向に沿って配置される直管形蛍光ランプを具備し、前記器具枠部における長手方向に沿った長辺板の頂部にそこから下向きに折れ曲がる補強用の補助辺を形成し、
前記第一蛍光灯器具と同様な第二蛍光灯器具を備え、前記器具枠部における短手方向に沿った短辺板が互いに重なるように前記第一蛍光灯器具・第二蛍光灯器具を直列に組合わせ、
ばね性の連結金具を備え、前記連結金具は金具本体と該金具本体の一端側寄りに形成した第一爪部と該金具本体の他端側寄りに形成した第二爪部を具備し、前記金具本体を互いに重なる前記短辺板の頂部に乗せ、前記第一爪部を前記第一蛍光灯器具における前記補助辺に下側から係合し、前記第二爪部を前記第二蛍光灯器具における前記補助辺に下側から係合し、前記金具本体を前記短辺板の頂部に圧接させるように撓ませたときに前記係合を解除可能としたことを特徴とする連結形蛍光灯装置。
【発明の詳細な説明】
【技術分野】
【０００１】  本発明は複数の照明器具を直列配置するための補助部品の構造に関する。
【背景技術】
【０００２】  照明器具の直列配置をおこなうのには連結する器具を固定する１枚の連結板を、お互いの器具本体背面に各々ねじ止めし固定方法であった。
【発明の開示】
【発明が解決しようとする課題】
【０００３】  本発明の目的は器具本体背面での連結が困難であった天井構造においても、容易に照明器具の直線的連結を可能にすることにある。
【課題を解決するための手段】
【０００４】  本発明においては、器具本体の背面を利用しての連結構造を改め、器具本体の枠部を利用して連結する構造にすることにより上記課題を解決する。
【発明の効果】
【０００５】  本発明によれば、照明器具本体の枠部を利用することにより、吊り下げ工法で施工された後でも照明器具を容易に直線的な配置を可能となる。
【発明を実施するための最良の形態】
【０００６】  図２〜図４を用いて、本発明の実施形態について説明する。本発明においては、高所に水平に配置される第一蛍光灯器具１０を備える。第一蛍光灯器具１０は反射笠部１２と該反射笠部を囲む器具枠部１４から構成されてる。第一蛍光灯器具１０は反射笠部１２の内側にその長手方向に沿って配置される直管形蛍光ランプ５０を装着する。器具枠部１４には長手方向に沿った長辺板の頂部１５にそこから下向きに折れ曲がる補強用の補助辺１６、器具枠部１４における短手方向に沿った短辺板１７にて器具本体１０が構成されている。【０００７】  第一蛍光灯器具１０と同様な第二蛍光灯器具２０を備える。器具枠部１４・２４における短手方向に沿った短辺板１７・２７が互いに重なるように第一蛍光灯器具１０・第二蛍光灯器具２０を直列に組合わせる。この手段について以下説明する。【０００８】  図１に示すよう従来技術では、器具を固定する１枚の連結板４０をお互いの器具本体背面に各々固定ねじ４１により、ねじ止めし連結する方法であった。本発明では図２・図３・図４に示すよう、ばね性のある素材にて形成された連結金具３０は金具本体３１と該金具本体の一端側寄りに形成した第一爪部３２と該金具本体の他端側寄りに形成した第二爪部３３を具備しており、金具本体３０を互いに重なる短辺板１７・２７の頂部１８・２８に乗せ、第一爪部３２を第一蛍光灯器具１０における補助辺１６に下側から係合し、かつ第二爪部３３を第二蛍光灯器具２０における補助辺２６に下側から係合し、金具本体３１を互いに重なりあった短辺板１７・２７の頂部１８・２８に圧接させるように撓ませたときに係合を解除可能とする。
【図面の簡単な説明】
【０００９】
【図１】従来装置を示す斜視図
【図２】本発明装置を示す斜視図
【図３】図２の斜視詳細図
【図４】図３とは別な同様の斜視詳細図
【符号の説明】
１０：第一蛍光灯器具
１２：第一蛍光灯器具の構成部品である反射笠部
１４：第一蛍光灯器具の構成部品である器具枠部
１５：器具枠部に形成された長辺板の頂部
１６：器具枠部に形成された補助辺
１７：器具枠部に具備された短辺板
１８：短辺板１７の頂部
２０：第二蛍光灯器具
２２：第二蛍光灯器具の構成部品である反射笠部
２４：第二蛍光灯器具の構成部品である器具枠部
２５：器具枠部に形成された長辺板の頂部
２６：器具枠部に形成された補助辺
【図１】
2005135885.tif 000003
【図２】
2005135885.tif 000004
【図３】
2005135885.tif 000005
【図４】
2005135885.tif 000006
(57)【要約】【課題】  懐中電灯としても使えるようにする。【解決手段】  照明器具等の制御対象機器を遠隔場所から制御するための装置であり、前記制御対象機器の動作を開始または終了するための赤外線等の信号を送信する装置であり、前記送信の際に該送信がなされたことを表示する送信表示用発光ダイオード２を備えた遠隔制御装置である。送信表示用発光ダイオード２を連続点灯させさることのできる強制連続発光用操作ボタン３を設ける。【選択図】    図１
2005135887.tif 000002
【特許請求の範囲】
【請求項１】
照明器具等の制御対象機器を遠隔場所から制御するための装置であり、前記制御対象機器の動作を開始または終了するための赤外線等の信号を送信する装置であり、前記送信の際に該送信がなされたことを表示する送信表示用発光ダイオードを備えた遠隔制御装置において、送信表示用発光ダイオードを連続点灯させさることのできる強制連続発光用操作ボタンを設けたことを特徴とする遠隔制御装置。
【発明の詳細な説明】
【技術分野】
【０００１】  本発明は照明器具等の制御対象機器おける遠隔制御装置の付加機能に関する。
【背景技術】
【０００２】  従来、照明器具等の遠隔制御を行う専用機器で赤外線等の信号を送信するだけであった。
【発明の開示】
【発明が解決しようとする課題】
【０００３】  上記従来技術は身近に置くことが多いのに遠隔制御すること以外には使えなかった。本発明はこれを懐中電灯としても使えるようにすることである。
【課題を解決するための手段】
【０００４】  本発明においては、遠隔制御装置に送信表示用発光ダイオードを備え、通常は赤外線等の信号の発信確認に使い、停電時には強制連続発光用操作ボタンを押すことで懐中電灯の代わりとして使用出来るようにした。
【発明の効果】
【０００５】  本発明によれば遠隔制御装置に強制連続発光用操作ボタンを設け，送信表示用発光ダイオードを強制連続発光用操作ボタンにより発光させたままに出来るので停電時の懐中電灯の代わりとして使うことが出来る。
【発明を実施するための最良の形態】
【０００６】  以下、本発明の実施例を図１より説明する。これは、照明器具等の制御対象機器を遠隔場所から操作できる遠隔制御装置１は前記制御対象機器の動作を開始または終了するための赤外線等の信号を送信する装置である。前記送信の際に該送信がなされたことを表示する送信表示用発光ダイオード２を備える。前記送信表示用発光ダイオード２を連続点灯させさることのできる強制連続発光用操作ボタン３を備える。急な停電時でも身近に置いて有ることが多い前記遠隔制御装置１は前記強制連続発光用操作ボタン３を押すことで懐中電灯としても使えるので、安全確保の効果がある。
【図面の簡単な説明】
【００１０】
【図１】装置全体斜視図
【符号の説明】
１…遠隔制御装置、２…送信表示用発光ダイオード、３…強制連続発光用操作ボタン
【図１】
2005135887.tif 000003
(57)【要約】【課題】  照明器具本体１の取付穴７、電源穴９、点灯装置１２の位置を自在に変更できる構造とする。【解決手段】  照明器具本体１の構造は取付穴７、電源穴９、点灯装置１２の位置を自在に変更できる。天井等の取付構造にあわせて照明器具を取り付けることができる。このため、照明器具本体１の取付穴７や電源穴９を加工したり、点灯装置１２の位置を変える必要がなくなる。【選択図】  図１
2005135888.tif 000002
【特許請求の範囲】
【請求項１】
天井基礎から吊下ろされる一対の吊具を備え、一対の前記吊具によって吊られる長尺な器具本体を備え、前記器具本体の長手方向両端から下向きに着脱自在に装着されるランプソケットを備え、一対の前記ランプソケットに着脱自在に装着される直管形の蛍光ランプを備えた吊下げ形蛍光灯器具において、
前記器具本体は天板部を具備し、前記天板の短手方向両側から垂下する側面板部を具備し、前記側面板の下端から内向きに進みその先から上向きに折れ曲がる補強板部を具備し、前記天板部にその長手方向に沿った長窓を形成し、
前記天板部の下方に配置されかつその両端が一対の前記補強板部に跨る取付金具を備え、さらにもう一個の同様な取付金具を備え、前記各取付金具を前記器具本体の長手方向に沿って移動可能なように配置し、前記各吊具の下端を、前記長窓を介してそれぞれの前記取付金具に固着し、
前記天板部の下方に配置されかつその両端が一対の前記補強板部に跨る一対の部品金具を備え、前記部品金具に点灯用部品を装着し、前記部品金具を前記器具本体の長手方向に沿って移動可能なように配置し、前記部品金具を前記移動ができないように前記器具本体に固定したことを特徴とする吊下げ形蛍光灯器具。
【発明の詳細な説明】
【技術分野】
【０００１】  本発明は吊下げ形蛍光灯器具の構造に関する。
【背景技術】
【０００２】  従来吊下げ形蛍光灯器具は本体に取付穴と電源穴が設けてあり、点灯装置は本体に固定されていた。照明器具本体に取付穴、電源穴、点灯装置の位置が固定されており、天井材等の取付構造により照明器具を取付できなかったり、取り付けできるように取付穴や電源穴を加工したり、点灯装置の位置を変えていた。
【発明の開示】
【発明が解決しようとする課題】
【０００３】  本発明の目的は照明器具本体の取付穴、電源穴、点灯装置の位置を自在に変更できる構造とすることである。
【課題を解決するための手段】
【０００４】  本発明は照明器具の本体と取付穴用の金具と点灯装置と電源穴を設けた金具の部品に分けて、取付穴用の金具と点灯装置と電源穴を設けた金具が本体内部の長手方向に自在に可動できるように本体の両側面を内側に巻き込むように折り曲げ、天板部の長手方向に長穴を設け、短手方向に一対のガイド穴を長手方向に等間隔に設ける。
吊下用取付金具は両側を折り曲げて補強とし、天板部に取付穴を設け、半球状のガイドを設ける。点灯装置と電源穴を設けた金具も両側を折り曲げて補強とし、天板部に取付穴を設け、半球状のガイドを設けて安定器と端子台を取り付ける。本体の長手方向端部より取付穴用の金具と点灯装置と電源穴を設けた金具を本体内部の任意の場所で本体のガイド穴と金具のガイドがあうように配置する。点灯装置と電源穴を設けた金具を固定するために、本体上面より止金具で固定する。、取付穴用の金具に天井等からの吊ボルトで固定することにより、目的を達成できる。
【発明の効果】
【０００５】  本発明の照明器具本体の構造は取付穴、電源穴、点灯装置の位置を自在に変更できることができ、天井等の取付構造にあわせて照明器具を取り付けることができる。また、照明器具本体の取付穴や電源穴を加工したり、点灯装置の位置を変える必要がなくなる。
【発明を実施するための最良の形態】
【０００６】  以下、本発明の実施形態を図１〜図１１より説明する。本体１の長手方向に両側面を内側に巻き込むように折り曲げ、天板部の長手方向に向って長穴２を設け、短手方向に長穴２をはさんで一対のガイド穴３を長手方向に向って等間隔に設け、長手方向の両端部にソケット台４を設ける。
吊下用取付金具５は前記本体１の両側面を内側に巻き込むように折り曲げた内部に沿って配置できるよう両側を折り曲げ、天板部に取付穴７を設け、取付穴７をはさんで一対の半球状のガイド６を設ける。
点灯装置取付金具８は前記本体１の両側面を内側に巻き込むように折り曲げた内部に沿って配置できるよう両側を折り曲げ、天板部に電源穴９を設け、本体１に固定するための止金具１４用の取付金具用取付穴１０を長手方向の両端に設け、短手方向に一対の半球状のガイド６を長手方向に向って等間隔に設け、安定器１２を設け、端子台１３を設け、一対のソケット１１を設け、点灯装置を結線する。【０００７】  本体１の端部より吊下用取付金具５、点灯装置取付金具８を挿入し、本体１内部の任意の場所で本体１に設けたガイド穴３と吊下用取付金具５、点灯装置取付金具８に設けたガイド６が重なるよう配置し、ソケット１１をソケット台４に取り付け、点灯装置取付金具８に設けた取付金具用取付穴１０に本体１の上面より長穴２を介して、止金具１４のネジ１５を通しナット１６で締め付けることにより、止金具１４に設けたガイド６が本体１に設けたガイド穴３に重なり確実に固定される。
吊下用取付金具５に設けた取付穴７に天井等からの吊ボルトを本体１の上面より長穴２を介して通して固定することにより吊下用取付金具５に設けたガイド６が本体１に設けたガイド穴３に重なり確実に固定することにより、目的を達成できる。
【図面の簡単な説明】
【０００８】
【図１】  本発明器具を示す斜視図
【図２】  本発明器具の取付方法を示す斜視図
【図３】  本発明器具を示す正面図
【図４】  本発明器具を示す見下図
【図５】  本発明器具を示す取付穴、電源穴、点灯装置の位置を変更した見下図
【図６】  本発明器具の点灯装置取付金具を示す見下図
【図７】  本発明器具の点灯装置取付金具を示す正面図
【図８】  本発明器具の吊下用取付金具を示す見下図
【図９】  本発明器具の吊下用取付金具を示す正面図
【図１０】  本発明器具の止金具を示す見下図
【図１１】  本発明器具の止金具を示す正面図
【符号の説明】
１…本体、２…長穴、３…ガイド穴、４…ソケット台、５…吊下用取付金具、６…ガイド、７…取付穴、８…点灯装置取付金具、９…電源穴、１０…取付金具用取付穴、１１…ソケット、１２…安定器、１３…端子台、１４…止金具、１５…ネジ、１６…ナット
【図１】
2005135888.tif 000003
【図２】
2005135888.tif 000004
【図３】
2005135888.tif 000005
【図４】
2005135888.tif 000006
【図５】
2005135888.tif 000007
【図６】
2005135888.tif 000008
【図７】
2005135888.tif 000009
【図８】
2005135888.tif 000010
【図９】
2005135888.tif 000011
【図１０】
2005135888.tif 000012
【図１１】
2005135888.tif 000013
(57)【要約】【課題】  発光色の異なる蛍光ランプ１１・発光ダイオード５の単なる併用では均一な混色がなされ難く、違和感が生ずる。この難点を安価に解決する。【解決手段】  拡散性発光管８・９を具備する蛍光ランプ１１を備える。前記蛍光ランプ１１とは異なる発光色の光を投射する発光ダイオード５を備える。前記発光ダイオード５の光を前記拡散性発光管８・９にて遮るように前記蛍光ランプ１１・前記発光ダイオード５相互の配置を定める。【選択図】  図１
2005135881.tif 000002
【特許請求の範囲】
【請求項１】
拡散性発光管を具備する蛍光ランプを備え、前記蛍光ランプとは異なる発光色の光を投射する発光ダイオードを備え、前記発光ダイオードの光を前記拡散性発光管にて遮るように前記蛍光ランプ・前記発光ダイオード相互の配置を定めたことを特徴とする照明器具。
【発明の詳細な説明】
【技術分野】
【０００１】  本発明は、混色形の照明器具に関するものである。
【背景技術】
【０００２】  発光色の異なる複数の蛍光ランプを器具本体に取付け、混色形照明を行うことは既知である。このような蛍光灯器具は市販されている。
【発明の開示】
【発明が解決しようとする課題】
【０００３】  発光色の異なる蛍光ランプ・発光ダイオードを組み合わせることも考えられる。しかし、発光ダイオードは指向性の強い点光源であるため、単なる併用では均一な混色がなされ難く、違和感が生ずる。本発明はこの難点を安価に解決するものである。
【課題を解決するための手段】
【０００４】  本発明に係る照明器具は拡散性発光管を具備する蛍光ランプを備える。前記蛍光ランプとは異なる発光色の光を投射する発光ダイオードを備える。前記発光ダイオードの光を前記拡散性発光管にて遮るように前記蛍光ランプ・前記発光ダイオード相互の配置を定める。
【発明の効果】
【０００５】  本発明においては、発光ダイオードの光を拡散性発光管にて遮るように蛍光ランプ・発光ダイオード相互の配置を定める。このため、発光ダイオードの光は拡散性発光管を拡散透過し該拡散性発光管から出る本来の光と均一に混ざる。均整度の高い混光である。これはこれによれば、安価な優れた混色照明が実現する。
【発明を実施するための最良の形態】
【０００６】  図１・図２を用いて本発明の実施形態について説明する。本発明器具は、拡散性発光管８・９を具備する蛍光ランプ１１を備える。前記蛍光ランプ１１とは異なる発光色の光を投射する発光ダイオード５を備える。前記発光ダイオード５の光を前記拡散性発光管８・９にて遮るように前記蛍光ランプ１１及び前記発光ダイオード５相互の配置を定める。
蛍光ランプ１１は二重環形の１本の環状蛍光ランプである。それは外側の拡散性発光管８および内側の拡散性発光管９を具備する。蛍光ランプ１１は昼光色形であり、色温度６７００Ｋの青成分の多い光を出す。発光管８・９には蛍光体が塗布されており、光学的には必然的に拡散性を呈する。図１における１１の引き出し線の箇所は口金部である。１２は拡散性発光管８・９相互を内通させるブリッジ部である。【０００７】  発光ダイオード５は赤色系発光形のものである。多数の発光ダイオード５が発光管に沿って配置されている。発光ダイオード５の光は拡散性発光管を図２の丸１・２・３のごとくに拡散透過し、該拡散性発光管から出る本来の光と均一に混ざる。発光ダイオード５の光を拡散させる部材はそれ専用のものではなく、蛍光ランプ８・９に必然的に具備される拡散性発光管である。
図１においては、蛍光ランプ８・９を透視状に描き、発光ダイオード５を見せる。図２では器具本体１が簡略的に図示され、また使用状態とは上下が逆に描かれている。さらに、器具本体１に装着されるランプフォルダ（蛍光ランプ８・９を着脱自在に保持する）の図示を省略した。【０００８】  実用上は次のようにすることができる。
蛍光ランプ１１を調光制御する場合はその光束変化に応じて赤色発売ダイオード５の光出力も変化させ、常に一定の色合いに保持する。このためには、両者を連動して調光させる手段を付属させる。複数の蛍光ランプ１１を具備する場合、その一部が寿命等で消灯したときに、それと連動して蛍光ランプ近傍の発光ダイオード５を消灯させ、器具全体の色合いの不所望な変化を防止する。
【図面の簡単な説明】
【０００９】
【図１】本発明器具の要部示す平面図である。
【図２】同器具の要部を示す側面図である。
【符号の説明】
１１：蛍光ランプ
１２：ブリッジ部
５：発光ダイオード
８・９：拡散性発光管
【図１】
2005135881.tif 000003
【図２】
2005135881.tif 000004
(57)【要約】【課題】プロービングテスト方法において、端子を高密度に配置しながら、プロービングテスト時に端子とプローブの確実な接触が得られるようにする。【解決手段】端子１の形状を、平行な対辺１１，１２の長さが互いに異なる台形とする。この台形の高さ方向Ｈが平行になり、且つ、短い辺１１と長い辺１２が交互に隣り合って一直線上に並ぶように、各端子１を配置する。プローブ２Ｌ，２Ｒを端子１に押し当てて撓ませて、各端子１の短い辺１１側から長い辺１２側に向けて移動する。【選択図】      図１
2005121483.tif 000002
【特許請求の範囲】
【請求項１】
複数の端子が形成された半導体集積回路の各端子にプローブを接触させて、前記回路の電気的特性を測定するプロービングテスト方法において、
前記端子の形状を、平行な対辺の長さが互いに異なる台形とし、この台形の高さ方向を揃えて並列に、且つ、前記平行な対辺の短い辺と長い辺が交互に隣り合うように配置するとともに、
前記プローブを各端子に対して前記短い辺側から接触させて、前記長い辺側に向けて移動することを特徴とするプロービングテスト方法。
【発明の詳細な説明】
【技術分野】
【０００１】
この発明は、半導体集積回路のプロービングテスト法（検査対象の端子にプローブを接触させて電気的特性を測定する方法）に関する。
【背景技術】
【０００２】
プロービングテストは、従来より、半導体チップに分割される前の（多数の半導体集積回路が形成された状態の）ウエハや、製品である実装基板の回路について、電気的特性を検査する目的で行われている。このプロービングテストは、検査対象となる回路の端子（ボンディングパットやバンプ）に合わせて多数本のプローブが配置されたプローブカードを用意し、対応する端子にプローブを接触させて電気的特性を測定している。そして、通常のプロービングテストでは、プローブを端子に押し当てて撓ませた状態で移動することにより、端子とプローブを確実に接触させることが行われている。
【０００３】
一方、近年の半導体素子の小型・高集積化に伴って、半導体チップ上に多数の端子（ボンディングパット）を高密度で形成することが要求されている。この要求に応えるために、例えば、端子を細長い長方形とし、その長辺を揃えて並列に、隣り合う端子の間隔を狭くして配置することが行われている。
下記の特許文献１には、前記端子の形状を台形や半円形や半八角形とすることと、前記端子を若干縦長にする（プロービングテストの際に押圧力でプローブが移動する方向の長さを、これに直交する方向の長さより若干長くする）ことが記載されている。
【特許文献１】特開平６−５３２７８号公報
【発明の開示】
【発明が解決しようとする課題】
【０００４】
しかしながら、端子が細長い（幅の狭い）長方形であると幅方向に余裕がないため、プローブが端子の幅方向端部にずれた状態で押し当てられた場合に、端子とプローブの確実な接触が得られない恐れがある。
本発明は、複数の端子が形成された半導体集積回路の各端子にプローブを接触させて、前記回路の電気的特性を測定するプロービングテスト方法において、前記端子を高密度に配置しながら、プロービングテスト時に端子とプローブの確実な接触が得られるようにすることを課題とする。
【課題を解決するための手段】
【０００５】
上記課題を解決するために、本発明は、複数の端子が形成された半導体集積回路の各端子にプローブを接触させて、前記回路の電気的特性を測定するプロービングテスト方法において、前記端子の形状を、平行な対辺の長さが互いに異なる台形とし、この台形の高さ方向を揃えて並列に、且つ、前記平行な対辺の短い辺と長い辺が交互に隣り合うように配置するとともに、前記プローブを各端子に対して前記短い辺側から接触させて、前記長い辺側に向けて移動することを特徴とするプロービングテスト方法を提供する。
【０００６】
本発明の方法によれば、端子の形状を「平行な対辺の長さが互いに異なる台形」にするとともに、この端子を上述の配置とすることにより、端子を高密度に配置することができる。
また、プローブを端子の幅の狭い側（台形の短い辺側）から広い側（台形の長い辺側）に向けて移動するため、この端子は移動先に向けて端子の幅が広がっていることになる。これに対して、長方形の端子は幅が一定である。そのため、プローブが端子の幅方向端部にずれた状態で押し当てられた場合に、長さ（台形の高さ）方向中心での幅が同じである長方形の端子と比較して、端子からプローブが外れる確率が低下する。
したがって、本発明の方法によれば、プローブが端子の幅方向端部にずれた状態で押し当てられた場合でも、端子とプローブの確実な接触が得られるようになる。
【発明を実施するための最良の形態】
【０００７】
以下、本発明の実施形態について説明する。
図１および２を用いて、本発明の一実施形態について説明する。
図１は、この実施形態のプロービングテスト方法を説明するための平面図である。図２は、この実施形態のプロービングテスト方法を説明するための正面図である。
図１に示すように、この実施形態では、半導体集積回路の端子（例えば、バンプ）１の形状を、平行な対辺１１，１２の長さが互いに異なる台形としている。そして、この台形の高さ方向Ｈが平行になり、且つ、短い辺１１と長い辺１２が交互に隣り合って一直線上に並ぶように、各端子１が配置されている。
【０００８】
そして、プローブホルダーに対する各プローブの取り付け位置が、一つ置きに左右に振り分けられているプローブカードを用意する。例えば、プローブホルダーの所定位置を基準とし、この位置から同じ距離だけ左右に離れた各位置にプローブ２Ｌ，２Ｒの基端が取り付けてあるものを用意する。先ず、この基準位置を端子１をなす台形の高さ方向Ｈの中心線Ｃに合わせて、ウエハの上方にプローブカードをセットする。図１は、この状態のウエハの、端子１が形成されている部分を示している。
【０００９】
次に、この状態で、プローブカードをウエハに対して上下方向に相対移動させて、各プローブ２Ｌ，２Ｒを各端子１に接触させる。次に、プローブ２Ｌ，２Ｒを端子１に押し当てて撓ませる。これに伴って、図２に二点鎖線で示すように、プローブ２Ｌ，２Ｒが撓みながら、各端子１の短い辺１１側から長い辺１２側に向けて移動する。
この方法によれば、プロービングテスト時にプローブ２Ｌ，２Ｒが端子の長い辺１２側に移動するため、プローブ２Ｌ，２Ｒが端子１の幅方向端部にずれた状態で押し当てられた場合でも、端子１からプローブ２Ｌ，２Ｒが外れ難い。したがって、端子を高密度に配置しながら、プローブが端子の幅方向端部にずれた状態で押し当てられた場合でも、端子とプローブの確実な接触が得られる。
【図面の簡単な説明】
【００１０】
【図１】実施形態のプロービングテスト方法を説明するための平面図である。
【図２】実施形態のプロービングテスト方法を説明するための正面図である。
【符号の説明】
【００１１】
１…端子、１１…平行な対辺の短い辺、１２…平行な対辺の長い辺、２Ｌ，２Ｒ…プローブ、Ｈ…台形の高さ方向、Ｃ…台形の高さ方向Ｈの中心線。
【図１】
2005121483.tif 000003
【図２】
2005121483.tif 000004
(57)【要約】【課題】  ３相交流のＲ相、Ｓ相、Ｔ相を順次検電する事により相回転の方向を判定するようにした、順次検電式検相器を提供する。【解決手段】  遠方電界検出部で遠方空間の交流電圧を検出し、その信号をアナログ・デジタル変換部で処理してマイコンに送り、基準の相として用いる。  近接電界検出部で順次各相の交流電圧を検出し、その信号をアナログ・デジタル変換部で処理してマイコンに送り、各々基準相との位相差を調べる。  それぞれのデータを計算して相回転方向を判定することを特徴とする順次検電式検相器。【選択図】  図３
2005121620.tif 000002
【特許請求の範囲】
【請求項１】
（イ）マイコン等電子回路収納部内にマイコン及びアナログ・デジタル変換部等の電子部品を収納する。
（ロ）マイコン等電子回路収納部に表示部を設ける。
（ハ）マイコン等電子回路収納部に近接電界検出部を設ける。
（ニ）マイコン等電子回路収納部に遠方電界検出部を設ける。
（ホ）マイコン等電子回路収納部に握り部を設ける。
（チ）遠方電界検出部で遠方空間の交流電圧を検出し、その信号をアナログ・デジタル変換部で処理してマイコンに送り基準の位相として用いる。
（リ）近接電界検出部で、ある相の交流電圧を検出し、その信号をアナログ・デジタル変換部で処理してマイコンに送り、基準である遠方電界との位相差を調べる。
（ヌ）次に近接電界検出部で、別の相の交流電圧を検出し、その信号をアナログ・デジタル変換部で処理してマイコンに送り、基準である遠方電界との位相差を調べる。
（ル）前述（リ）及び（ヌ）で得られたデータをマイコンで計算し、相回転方向を判定する。
（オ）その結果を表示部に表す。
以上の構成よりなる順次検電式検相器。
【発明の詳細な説明】
【技術分野】
【０００１】  この発明は、３相交流を順次検電し、基準となる遠方電界との位相差をマイコンで計算することにより相回転の方向を判定できる順次検電式検相器に関するものである。
【背景技術】
【０００２】  従来、３相交流の相回転を調べるにはクリップで充電部をはさみ３相同時に集電する検相器があった。
【発明の開示】
【発明が解決しようとする課題】
【０００３】  これは、つぎのような欠点があった。
３相交流の電気工事をするときには相回転方向がＲ相→Ｓ相→Ｔ相なのか、あるいはＴ相→Ｓ相→Ｒ相なのかを調べる必要がある。
従来の検相器を用いて調べるには、時間がかかり感電の危険性もあったが危険承知で作業していた。
本発明は、以上のような欠点をなくすためになされたものである。
【課題を解決するための手段】
【０００４】  （イ）マイコン等電子回路収納部内にマイコン及びアナログ・デジタル変換部等の電子部品を収納する。
（ロ）マイコン等電子回路収納部に表示部を設ける。
（ハ）マイコン等電子回路収納部に近接電界検出部を設ける。
（ニ）マイコン等電子回路収納部に遠方電界検出部を設ける。
（ホ）マイコン等電子回路収納部に握り部を設ける。
本発明は、以上の構成よりなる順次検電式検相器である。
【発明の効果】
【０００５】  従来のようにクリップなどを用いて３相全ての充電部に同時に接続する必要はない。
各相に順次近接電界検出部を当てていけば相回転が判断できる。
安全でしかも迅速に測定が出来る。
【発明を実施するための最良の形態】
【０００６】  以下、本発明の実施の形態について説明するが、本題にはいる前に３相交流の電界について説明する。
Ｒ相に近接している空間の電界は強くてＲ相と同じ位相で相回転している。
Ｓ相に近接している空間の電界は強くてＳ相と同じ位相で相回転している。
Ｔ相に近接している空間の電界は強くてＴ相と同じ位相で相回転している。
上記各相は常に各々１２０度の位相差を持っている。
一方Ｒ相、Ｓ相、Ｔ相より遠方においても弱いながらも電界は存在する。
やはり相回転をしているがこの遠方電界（８）は各相の成分が混じり合っている。
このため遠方電界（８）はＲ相、Ｓ相、Ｔ相とは一定の位相差をもって回転する独立した相と見なすことが出来る。そして検出位置が少々変わっても相回転の位相差が変わることはない。
この遠方電界（８）を検出し、基準として利用することが、本発明をなしえた構想である。
（イ）マイコン等電子回路収納部（６）内にマイコン（４）及びアナログ・デジタル変換部（３）等の電子部品を収納する。
（ロ）マイコン等電子回路収納部（６）に表示部（５）を設ける。
（ハ）マイコン等電子回路収納部（６）に近接電界検出部（１）を設ける。
（ニ）マイコン等電子回路収納部（６）に遠方電界検出部（２）を設ける。
（ホ）マイコン等電子回路収納部（６）に握り部（７）を設ける。
本発明は、以上の構成よりなる順次検電式検相器である。
本発明を使用してＲ相とＳ相の相回転方向を調べる時、電気的には次の処理を行う。
（チ）検相作業中は常時遠方電界検出部（２）で遠方電界（８）を検出し、その交流電圧をアナログ・デジタル変換部（３）で処理してマイコン（４）に送る。
（リ）まず握り部（７）を持ち近接電界検出部（１）をＲ相（９）に当てる。
検出された交流電圧はアナログ・デジタル変換部（３）で処理されマイコン（４）に送られ、遠方電界（８）との位相差を調べ、データを内部メモリー保存する。
（ヌ）次に握り部（７）を持ち近接電界検出部（１）をＳ相（１０）に当てる。
検出された交流電圧はアナログ・デジタル変換部（３）で処理されマイコン（４）に送られ、遠方電界（８）との位相差を調べ、データを内部メモリー保存する。
（ル）前述（リ）及び（ヌ）で得られたデータをマイコン（４）で計算し、相回転方向を判定する。
（オ）その結果を表示部（５）に表す。
同様にして３相を順次調べていけば全ての相回転方向が判断できる。
【図面の簡単な説明】
【０００７】
【図１】本発明の電気回路ブロック図
【図２】本発明の斜視図
【図３】本発明でＳ相を調べる場合の使用状態を示した説明図
【符号の説明】
【０００８】  １  近接電界検出部
２  遠方電界検出部
３  アナログ・デジタル変換部
４  マイコン
５  表示部
６  マイコン等電子回路収納部
７  握り部
８  遠方電界
９  Ｒ相
１０  Ｓ相
１１  Ｔ相
【図１】
2005121620.tif 000003
【図２】
2005121620.tif 000004
【図３】
2005121620.tif 000005
(57)【要約】【課題】従来、体内のがん細胞を見つけるには腫瘍マーカーが使用されるが、検査をするにあたり採血を必要とすることが多く、もっと簡単な方法での検査が必要とされていた。【解決手段】本発明は、尿の重水素濃度を測定し、その数値によって体内のがん細胞の有無を判断するものである。【特許請求の範囲】
【請求項１】
人間の尿の重水素濃度を測定し体内のがん細胞の有無を検査する。
【請求項２】
測定した尿の重水素濃度が１６０ｐｐｍ以上であればがんの可能性がある。
【発明の詳細な説明】
【技術分野】
【０００１】  本発明は、尿の重水素濃度を測定することによって体内のがん細胞の有無を検査することである。
【背景技術】
【０００２】  従来、体内のがん細胞を見つけるには腫瘍マーカーが使用されるが、検査をするにあたり採血を必要とすることが多い。
【発明の開示】
【発明が解決しようとする課題】
【０００３】  しかしながら現実において、採血を行わずもっと簡単な方法での検査が必要とされている。
【課題を解決するための手段】
【０００４】  本発明者等は係る課題を解決するために鋭意研究したところ、尿の重水素濃度を測定して体内のがん細胞の有無を検査する方法を開発して、本発明を提供するものである。【０００５】  すなわち本発明は尿の重水素濃度を測定し、その数値によって体内のがん細胞の有無を判断するものである。
【発明の効果】
【０００６】  以上説明したように、本発明によれば体内のがん細胞の有無を採血等の行為を行わず、尿の重水素濃度を測定することにより体内のがん細胞の有無を発見することができる。
【発明を実施するための最良の形態】
【０００７】  本発明は尿を採取し重水素濃度を測定し、重水素濃度が１６０ｐｐｍ以上であればがんの可能性がある。【０００８】  がん患者の尿の重水素濃度を測定結果は１７０ｐｐｍや１９０ｐｐｍであった。【０００９】  そのため１６０ｐｐｍ以上であればがん細胞があることを疑う必要があり、１７０ｐｐｍや１９０ｐｐｍなどの高い数値であれば高い確率で体内にがん細胞がある。
(57)【要約】【課題】今まで五線紙と筆記用具を使用し、教師によるマンツーマン指導によって学習していた和声法をコンピューターによる添削システムを導入することにより、自習でも容易に習得できることを可能にする。【解決手段】筆記用具の替わりにマウスやキーボードを使って、楽譜を書く感覚で和声課題を実施し、その課題から導き出された解答をコンピューターで使用する音源を利用して演奏すると共に、添削プログラムを起動して和声法における誤りを表示し、学習者自身が確認して、修正できるようにする。【特許請求の範囲】
【請求項１】
コンピューターを使用して和声法を学ぶ際、和声課題を実施した学習者の解答データを解析し、和声法における誤りを発見して、その場所をコンピューター画面の楽譜上で指摘するとともに、その内容を知らせる添削システムと、そのコンピューターで使用される音源を利用して、音による確認が出来るシステムを併せもつソフトウェア。
【請求項２】
あらかじめ和声の学習課題に設定されたソプラノ、またはバスの音符の長さに連動して、他の声部に入力した音符もそれと同じ長さに揃えられるプログラム機能。
【発明の詳細な説明】
【技術分野】
【０００１】
本発明は、音楽大学等における必修科目である和声法を容易に学習できるようにした、コンピューターソフトウェアに関するものである。
【背景技術】
【０００２】
これまで数々の音楽制作ソフトウェアは存在するが、そのほとんどが自動演奏、または通常の楽譜作成を目的としたものであり、和声法に準拠したソフトウェアは存在しない。そのため、和声法の学習には紙の五線紙上で和声課題を実施し、教師によるマンツーマン指導を受けるか、和声法の文献などを入手し、自習などによる学習を行う必要があった。
【０００３】
和声の学習において和音の響きを確認することは重要であるが、実施した和声課題を学習者が確認する場合、自らピアノ等の楽器を演奏して確かめなければならない。
【０００４】
しかし、なかには楽器演奏を苦手とする学習者もいる。その様な場合は、自動演奏ソフトウェアなどを使用することもあるが、一度紙に書いた楽譜をコンピューターに入力しなおす必要があり、そのわずらわしさは否めない。
【発明の開示】
【発明が解決しようとする課題】
【０００５】
自習による和声の学習者、特に初心者には、学習者自身の実施した課題における解答の誤りを発見することは困難であるため、和声法の習得は極めて難しいものとなっている。また、教師によるマンツーマン指導を受けている場合でも、自習した和声課題を添削してもらうには、次回の指導日まで待たなければならず、学習能率が向上しない。
【０００６】
自動演奏ソフトウェアに音符を1つずつ入力する場合は、それぞれの音程と音の長さを指定する必要がある。音程はマウスや鍵盤楽器等を使用し、連続して入力することが出来るが、音の長さはその都度設定を変更する必要がある。
【課題を解決するための手段】
【０００７】
本発明は、鉛筆の替わりにマウスやキーボードを使って、楽譜を書く感覚で和声課題を実施し、その状態で入力した音の響きを確認でき、添削をも可能にする。
【０００８】
和声課題を実施する場合、あらかじめソプラノ、またはバスのメロディが決められており、他の声部を入力する場合、入力する音の長さをそれらと同じにする必要がある。そのため、コンピューターはこれから入力する音符の縦軸上にある、あらかじめ与えられた音符の長さを検出し、新たに入力する音符をその長さに設定する。
【発明の効果】
【０００９】
教師による添削を待つ必要がないため、学習者は実施した和声課題における解答の誤りを自身で修正し、その都度、音の響きを確認しながら次の学習段階へ進むことができる。今まで困難とされてきた和声法の自習による学習が可能になる。
【００１０】
音の長さはコンピューターにより自動設定されるため、学習者は鉛筆で音符を書く感覚で、画面上の楽譜にカーソルを合わせて、マウスを一度押すことにより音符を入力することができる。もちろん入力位置を間違えた場合は、キーボードの上下キーなどを押して修正する必要はあるが、紙の五線紙で消しゴムを使用する労力に比較して、この便利さは一目瞭然である。
【発明を実施するための最良の形態】
【００１１】
学習者はCD-ROM等、もしくはホームページからダウンロードして購入した和声の学習素材に、マウスなどの入力装置を使用して画面上の五線譜に音符を入力していく。そのとき、音の響きを確認しながら解答方針を変更することも可能である。すべて入力し終えたところで、学習者は添削プログラムを起動する。コンピューターは入力された音符の位置や種類を計算し、和声進行上の誤りを発見しそれを表示して知らせる。学習者はコンピューターに指摘された部分を修正して再び添削プログラムを起動する。
これを繰り返して、誤りのない解答を導き出し、次の学習段階へ進んでいく。